(57)【要約】【課題】１種類のペントハウスユニットで複数種類の大きさのペントハウスを設置できるペントハウスおよびペントハウス設置方法を提供する。【解決手段】ペントハウスをペントハウスユニット１と、現場軸組部２０とを備えた構成とし、ペントハウスユニット１を平坦屋根面１２に設置し、次に、このペントハウスユニット１に現場で軸組みによって現場軸組部２０を形成するとともにこの現場軸組部２０を平坦屋根面１２に設置することによって、１種類ペントハウスユニット１で複数種類の大きさのペントハウスを設置できる。【選択図】        図２
2004238922.tif 000002
【特許請求の範囲】
【請求項１】
建物本体上部に形成された平坦屋根面に設置されるペントハウスであって、
予め形成されて、前記平坦屋根面に設置されるペントハウスユニットと、
このペントハウスユニットに現場で軸組みによって形成されるとともに前記平坦屋根面に設置される現場軸組部とを備えることを特徴とするペントハウス。
【請求項２】
請求項１に記載のペントハウスにおいて、
前記ペントハウスユニットは、少なくとも四隅に立設された柱と、これら柱の上端部間に架け渡された上梁とを備え、前記柱の下端部には前記平坦屋根面と接合される接合部が設けられていることを特徴とするペントハウス。
【請求項３】
請求項１または２に記載のペントハウスにおいて、
前記ペントハウスユニットと現場軸組部とには、これらの上部を一体的に覆うペントハウス屋根が設けられていることを特徴とするペントハウス。
【請求項４】
建物本体上部に形成された平坦屋根面上に、ペントハウスを設置するペントハウス設置方法であって、
前記平坦屋根面に、予め形成されたペントハウスユニットを設置し、次に、このペントハウスユニットに現場で軸組みによって現場軸組部を形成するとともにこの現場軸組部を前記平坦屋根面に設置することを特徴とするペントハウス設置方法。
【請求項５】
請求項４に記載のペントハウス設置方法において、
前記平坦屋根面にペントハウスユニットと現場軸組部を設置した後、これらペントハウスユニットと現場軸組部とに、これらの上部を一体的に覆うペントハウス屋根を設けることを特徴とするペントハウス設置方法。
【発明の詳細な説明】
【０００１】
【発明の属する技術分野】
本発明は建物の屋上に出入りする開口部を備えたペントハウスおよびペントハウス設置方法に関する。
【０００２】
【背景の技術】
住宅等の建物においては、平坦な屋根面を設け、この平坦屋根面に、ソーラーユニットや空調機の室外機を設置したり、歩行屋根面とすることによって屋上空間の有効利用が図られている。
建物に平坦屋根面を設け、この屋根面を歩行屋根面として利用する場合には、建物本体に昇降用の階段を設け、出入り口を平坦な屋根面に設ける必要がある。この場合、平坦な屋根面には、出入り口となる開口部を有するペントハウスを設置しなければならない。
【０００３】
上述のようなペントハウスの一例として、特許文献１に記載のものが知られている。この技術は、工場にて生産されたペントハウスユニットを建物ユニットの天井面に載置して固定したものである。この技術によれば、ペントハウスが工場にて生産されたペントハウスユニットから構成されたことから、ペントハウスの現地での施工時間を短縮できるので、ペントハウスの現地施工性を向上させることができるとともに、ペントハウス施工のためのコストを削減することができる。
【０００４】
【特許文献１】
特開弊１０−１７６３７２号公報
【０００５】
【発明が解決しようとする課題】
ところで、上記のようなペントハウスは、建物の屋上の平坦屋根の大きさや、ペントハウスを設置する位置等によって、ペントハウスの大きさを変更する必要がある。この場合、上述したようにペントハウスを、予め工場で生産されたペントハウスユニットを設置することによって形成する場合、複数種類の大きさのペントハウスユニットを工場で生産して用意しておかなければならず、このためペントハウスユニット用の部品の種類が多くなって、工場での生産管理が煩雑になるという課題がある。
また、現場に搬送するペントハウスユニットの大きさを間違った場合、ペントハウスの再搬送を行わなければならず、時間を浪費してしまい、その分工期が遅れてしまうという課題もある。
【０００６】
本発明は上記事情に鑑みてなされたもので、１種類のペントハウスユニットで複数種類の大きさのペントハウスを設置できるペントハウスおよびペントハウス設置方法を提供することを目的としている。
【０００７】
【課題を解決するための手段】
上記目的を達成するために、請求項１に記載の発明は、例えば図１〜図３に示すように、建物本体１１上部に形成された平坦屋根面１２に設置されるペントハウスであって、
予め形成されて、前記平坦屋根面１２に設置されるペントハウスユニット１と、
このペントハウスユニット１に現場で軸組みによって形成されるとともに前記平坦屋根面１２に設置される現場軸組部２０とを備えることを特徴とする。
【０００８】
前記ペントハウスユニット１の骨組み２は、鋼材や木材を例えば箱状に組み立てることにより行い、その側面には、予め外装材を取付けておいてもよいし、外装材は現場で取付けてもよい。また、骨組み２の上面には、天井部や屋根部を予め取付けておいてもよいし、現場で取付けてもよい。
【０００９】
請求項１に記載の発明によれば、ペントハウスが、予め形成されたペントハウスユニット１と現場軸組部２０とを備えているので、１種類のペントハウスユニット１を平坦屋根面１２に設置し、次に、このペントハウスユニット１に現場で軸組みによって現場軸組部２０を形成するとともにこの現場軸組部２０を前記平坦屋根面１２に設置することによって、つまり、ペントハウスユニット１は１種類としておき、それに形成する現場軸組部２０を適宜の大きさに形成することによって、１種類ペントハウスユニット１で複数種類の大きさのペントハウスを設置できる。
【００１０】
請求項２に記載の発明は、請求項１に記載のペントハウスにおいて、
前記ペントハウスユニット１は、少なくとも四隅に立設された柱６と、これら柱６の上端部間に架け渡された上梁７とを備え、前記柱６の下端部には前記平坦屋根面１２と接合される接合部８が設けられていることを特徴とする。
【００１１】
柱６の下端部に接合部８が設けられているので、平坦屋根面にもこの接合部８を接合するための被接合部を形成しておくのが望ましい。このようにすれば、接合部８を被接合部上に設置することによって、ペントハウスユニット１の位置決めが容易に行える。
【００１２】
請求項２に記載の発明によれば、ペントハウスユニット１を構成する柱６の下端部に接合部８が設けられているので、この接合部８によってペントハウスユニット１を平坦屋根面１２に容易かつ確実に接合して固定できる。
また、ペントハウスユニット１は、柱６の下端部を接合部８を介して平坦屋根面１２に接合することによって構造上の強度が確保されるとともに床が形成されるので、ペントハウスユニット１の柱６の下端部間には下梁を架け渡さなくてもよく、さらには床も省略できる。
したがって、ペントハウスユニット１の材料コストの低減を図れ、また、ペントハウスユニット１が軽いので、それを平坦屋根面１２に設置する際の揚重作業が容易である。
【００１３】
請求項３に記載の発明は、請求項１または２に記載のペントハウスにおいて、
前記ペントハウスユニット１と現場軸組部２０とには、これらの上部を一体的に覆うペントハウス屋根１５が設けられていることを特徴とする。
【００１４】
ペントハウスユニット１と現場軸組部２０とは別体であるので、それぞれに屋根を設け、それぞれの屋根を接合する場合、その接合部の防水処理に手間がかかるが、請求項３に記載の発明によれば、ペントハウスユニット１と現場軸組部２０とには、これらの上部を一体的に覆うペントハウス屋根２５が設けられているので、上記のような接合部の防水処理が必要なく、ペントハウス屋根２５の施工が容易となる。
【００１５】
請求項４に記載の発明は、建物本体１１上部に形成された平坦屋根面１２上に、ペントハウスを設置するペントハウス設置方法であって、
前記平坦屋根面１２に、予め形成されたペントハウスユニット１を設置し、次に、このペントハウスユニット１に現場で軸組みによって現場軸組部２０を形成するとともにこの現場軸組部２０を前記平坦屋根面１２に設置することを特徴とする。
【００１６】
請求項４に記載の発明によれば、ペントハウスユニット１を平坦屋根面１２に設置し、次に、このペントハウスユニット１に現場で軸組みによって現場軸組部２０を形成するとともにこの現場軸組部２０を前記平坦屋根面１２に設置することによって、つまり、ペントハウスユニット１は１種類としておき、それに形成する現場軸組部２０を適宜の大きさに形成することによって、１種類ペントハウスユニット１で複数種類の大きさのペントハウスを設置できる。
また、ペントハウスユニット１を先に設置するので、このペントハウスユニット１に現場で軸組みすることによって、つまりペントハウスユニット１を基準として現場で軸組みすることによって、現場軸組部２０を容易に形成できる。
【００１７】
請求項５に記載の発明は、請求項４に記載のペントハウス設置方法において、
前記平坦屋根面１２にペントハウスユニット１と現場軸組部２０を設置した後、これらペントハウスユニット１と現場軸組部２０とに、これらの上部を一体的に覆うペントハウス屋根２５を設けることを特徴とする。
【００１８】
請求項５に記載の発明によれば、ペントハウスユニット１と現場軸組部２０とは別体であるので、それぞれに屋根を設け、それぞれの屋根を接合する場合、その接合部の防水処理に手間がかかるが、請求項５に記載の発明によれば、ペントハウスユニット１と現場軸組部２０とを設置した後、これらペントハウスユニット１と現場軸組部２０とに、これらの上部を一体的に覆うペントハウス屋根１５を設けるので、上記のような接合部の防水処理が必要なく、ペントハウス屋根１５の施工が容易となる。
【００１９】
【発明の実施の形態】
以下、図面を参照して本発明の実施の形態について説明する。
図１は本実施の形態のペントハウスを構成するペントハウスユニットを示す斜視図、図２は本実施の形態のペントハウスを平坦屋根面に設置した状態を示す断面図、図３は同斜視図である。
本実施の形態のペントハウスは、工場等で予め製造されたペントハウスユニットと、このペントハウスユニットに現場で軸組みによって形成される現場軸組部とを備えている。
【００２０】
図１に示すように、ペントハウスユニット１は、骨組み２と、この骨組み２の外側に取付けられた外装材３およびコーナーパネル４と、出入り口用開口部となる扉５とから構成されている。
ここで、外装材３は、扉５が設けてある面と、この面に直交して隣合う２つの面との３面に取り付けてあり、扉１５が設けてある面に対向する面には、後述する現場軸組部２０を形成するためと昇降用階段への通路を確保するために外装材３は取り付けられていない。
【００２１】
ペントハウスユニット１を構成する骨組み２は、平面四角形の４つの頂点に配置立設された４本の角形鋼管製の柱６と、これら柱６の上端部間に架け渡された上梁７とを備えて構成されている。そして、各柱６の下端小口面には、鋼板が溶接されて接合部８が形成されている。なお、この接合部８には、ボルトナット固定するための図示しないボルト孔が複数形成されている。また、柱６は、ペントハウスユニット１の扉５が設けられている正面側の２本の方が、背面側の２本より長く形成されており、これによってペントハウスユニット１はその上面が水平面に対して傾斜している。
また、正面側２本の長い柱６，６に架け渡された上梁７と、背面側２本の短い柱６，６に架け渡された上梁７との間には、図２に示すように、天井部１０が設けられている。この天井部１０は桟材を矩形状に組み付けた枠体の下面に合板等の面材１０ａを取り付けたものであり、図２において右側が低くなるように水平面に対して傾斜している。
【００２２】
上記のような構成のペントハウスユニット１は、図３に示すように、建物本体１１の上部に形成された平坦屋根面１２に設置される。建物本体１１は、本実施の形態では、ユニット式の建物であり、複数の建物ユニット１３，１４を連結することにより構成されている。建物ユニット１３は直方体形状のものであり、建物ユニット１４は傾斜部を有するものである。建物ユニット１４は傾斜部を有しているので、建物本体１１において斜線制限を受ける部分に配置されている。
【００２３】
建物本体１１の上面には、図２および図３に示すように、複数の平板状のフラット屋根ユニット１５が設置されており、これらフラット屋根ユニット１５…の上面によって前記平坦屋根面１２が構成されている。
フラット屋根ユニット１５は、溝形鋼１６を四角形状に組み合わせたフレームを備えている。そして、前記ペントハウス１が設置される部分以外のフラット屋根ユニット１５のフレームには、ＡＬＣ板等で形成された屋根材１７が設置されている。なお、フラット屋根ユニット１５で形成されえた平坦屋根面１２の外周部には、図３に示すように、非歩行笠木９ａが形成され、この非歩行笠木９ａの内側に内手摺９ｂが形成されている。
【００２４】
一方、ペントハウスユニット１が設置される部分のフラット屋根ユニット１５のフレームには、図３に示すように、木製の床パネル１８が設置されている。床パネル１８は、ペントハウス１の床を構成するものであり、合板等からなる面材１８ａと、この面材１８ａを支持する複数の桟材１８ｂとから構成されている。なお、床パネル１８には図示は省略するが、昇降用階段に連通する開口部が形成されている。また、床パネル１８や屋根材１７の下方には建物本体１１の天井部１９が設けられている。
【００２５】
そして、前記ペントハウスユニット１は、クレーン等によって吊り上げられて、建物本体１１の平坦屋根面１２の所定の位置に、つまり、平坦屋根面１２を構成する複数のフラット屋根ユニット１５のうち、床パネル１８を備えているフラット屋根ユニット１５上に設置される。
この場合、ペントハウスユニット１は、その４本の柱６の下端に設けられた接合部８が、フラット屋根ユニット１５上のフレーム上に設置され、このフレームにボルト、ナット等によって固定される。なお、このフレームの所定の位置には予めボルトナット固定するための図示しないボルト孔が複数形成されている。
【００２６】
上記のようにして、ペントハウスユニット１が建物本体１１の平坦屋根面１２に設置固定された後、このペントハウスユニット１に現場で軸組みによって現場軸組部２０が形成されるとともにこの現場軸組部２０が平坦屋根面１２の床パネル１８に設置される。
現場軸組部２０を形成する場合、図２に示すように、ペントハウスユニット１の背面側の柱６から所定距離後ろ側に離れた位置に、図２では床パネル１８の上面右端部に、壁パネル２１が立設される。この壁パネル２１の下端部には桟材２１ａが固定され、この桟材２１ａが床パネル１８に釘等によって固定されることによって壁パネル２１が床パネル１８に立設固定される。
【００２７】
その後、この壁パネル２１の上端部とペントハウスユニット１の背面側の上梁７との間に天井部２２が設けられ、この天井部２２は上梁７と壁パネル２１の上端に固定される。この天井部２２は桟材を矩形状に組み付けた枠体の下面に合板等の面材２２ａを取り付けたものであり、図２において右側が低くなるように水平面に対して傾斜している。また、この天上部２０はペントハウスユニット１の天井部１０の延長上に、この天井部１０と面一になるように設けられる。また、図示は省略するが現場軸組部２０の側面側には外装材が、前記ペントハウスユニット１の側面側の外装材３とほぼ面一になるようにして取付けられる。
このようにして、現場軸組部２０が平坦屋根面１２の床パネル１８に設置される。
【００２８】
次に、ペントハウスユニット１と現場軸組部２０とに、これらの上部を一体的に覆うペントハウス屋根２５が設けられる。このペントハウス屋根２５は、断面ロ字状の鋼材２６を矩形枠状に組立ててフレームと、このフレームの上面に設けられた屋根材２７とからなる屋根パネル２８を備えている。この屋根パネル２８は前記天井部１０，２２より若干緩めに水平面に対して傾斜するようにして配置され、その上端部（図では左端部）がペントハウスユニット１の前面上端部によって支持され、下端部（図では右端部）が、前記フラット屋根ユニット１５上に現場で設置された外壁部２９によって支持される。
以上のようにして、建物本体１１の上面に形成された平坦屋根面１２上に、ペントハウスユニット１と現場軸組部２０とペントハウス屋根２５とからなるペントハウスが設置される。
なお、前記建物ユニット１４の傾斜部には、傾斜天井部３０が設けられ、この傾斜天井部３０上に傾斜屋根３１が設けられている。この傾斜屋根３１は前記ペントハウス屋根２５のほぼ延長上に位置するように配置されている。
【００２９】
本実施の形態によれば、以下のような効果が得られる。
▲１▼ペントハウスが、ペントハウスユニット１と現場軸組部２０とを備えているので、１種類のペントハウスユニット１を平坦屋根面１２に設置し、次に、このペントハウスユニット１に現場で軸組みによって現場軸組部２０を形成するとともにこの現場軸組部２０を平坦屋根面１２に設置することによって、つまり、ペントハウスユニット１は１種類としておき、それに形成する現場軸組部２０を適宜の大きさに形成することによって、１種類ペントハウスユニット１で複数種類の大きさのペントハウスを設置できる。
▲２▼また、ペントハウスユニット１を先に設置するので、このペントハウスユニット１に現場で軸組みすることによって、つまりペントハウスユニット１を基準として現場で軸組みすることによって、現場軸組部２０を容易に形成できる。
【００３０】
▲３▼ペントハウスユニット１を構成する柱６の下端部に接合部８が形成されているので、この接合部８によってペントハウスユニット１を平坦屋根面１２に容易かつ確実に接合して固定できる。
▲４▼ペントハウスユニット１は、柱６の下端部を接合部８を介して平坦屋根面１２に接合することによって構造上の強度が確保されるとともに床が形成されるので、ペントハウスユニット１の柱６の下端部間には下梁を架け渡さなくてもよく、さらには床も省略できる。したがって、ペントハウスユニット１の材料コストの低減を図れ、また、ペントハウスユニット１が軽いので、それを平坦屋根面１２に設置する際の揚重作業が容易である。
【００３１】
▲５▼ペントハウスユニット１と現場軸組部２０とには、これらの上部を一体的に覆うペントハウス屋根２５が設けられているので、ペントハウス屋根２５の施工が容易となる。つまり、ペントハウスユニット１と現場軸組部２０とは別体であるので、それぞれに屋根を設け、それぞれの屋根を接合する場合、その接合部の防水処理に手間がかかるが、ペントハウス屋根２５ではこのような接合部の防水処理が必要なく、ペントハウス屋根２５の施工が容易となる。
▲６▼建物ユニット１４は傾斜屋根３１を備え、ペントハウス屋根２５の延長上にこの傾斜屋根３１が位置しているので、建物本体１１を隣地境界線や道路境界線に接近して配置することができるので、建物本体１１を斜線制限内に納めるのが容易になる。
【００３２】
なお、本実施の形態では、ペントハウスユニット１と現場軸組部２０とを備えたペントハウスを、ユニット式建物の平坦屋根面に設置する場合を例にとって説明したが、本発明はこれに限ることなく、平坦な陸屋根を有する建物であればどのような建物にでも適用できるのは勿論である。
また、本実施の形態では、ペントハウスユニット１は四隅に立設された柱６と、これら柱６の上端部間に架け渡された上梁７とからなる骨組み２およびこの骨組み２に取り付けられた外装材３とを備え、上面が傾斜した構成としたが、ペントハウスユニット１はこのような構成に限ることなく、骨組み２はどのような構造でもよく、また、外装材３は現場で取付けてもよく、さらには上面はフラット形状や、その他の屋根形状であってもよい。
【００３３】
【発明の効果】
以上説明したように、請求項１および４に記載の発明によれば、ペントハウスユニットを平坦屋根面に設置した後、このペントハウスユニットに現場で軸組みによって現場軸組部を形成するとともにこの現場軸組部を平坦屋根面に設置することによって、つまり、ペントハウスユニットは１種類としておき、それに形成する現場軸組部を適宜の大きさに形成することによって、１種類ペントハウスユニットで複数種類の大きさのペントハウスを設置できる。したがって、工場等では１種類のペントハウスユニットを生産しておけばよく、生産管理が容易であるとともに、現場へのペントハウスユニットの搬送間違いも生じることがない。
また、ペントハウスユニットを基準として現場で軸組みすることによって、現場軸組部を容易に形成できる。
【００３４】
請求項２に記載の発明によれば、ペントハウスユニットを構成する柱の下端部の接合部によってペントハウスユニットを平坦屋根面に容易かつ確実に接合して固定できる。
また、柱の下端部を接合部を介して平坦屋根面に接合することによって構造上の強度が確保されるとともに床が形成されるので、柱の下端部間には下梁を架け渡さなくてもよく、さらには床も省略できる。したがって、ペントハウスユニットの材料コストの低減を図れ、また、ペントハウスユニットが軽いので、それを平坦屋根面に設置する際の揚重作業が容易である。
【００３５】
請求項３および５に記載の発明によれば、ペントハウスユニットと現場軸組部とには、これらの上部を一体的に覆うペントハウス屋根が設けられるので、ペントハウスユニットと現場軸組部とにそれぞれ屋根が設けられている場合の屋根接合部の防水処理が必要なく、ペントハウス屋根の施工が容易となる。
【図面の簡単な説明】
【図１】本発明のペントハウスの一例を示すもので、ペントハウスを構成するペントハウスユニットの斜視図である。
【図２】同、ペントハウスを設置した状態を示す側断面図である。
【図３】同、ペントハウスを設置した状態を示す斜視図である。
【符号の説明】
１  ペントハウスユニット
２  骨組み
６  柱
７  上梁
８  接合部
１１  建物本体
１２  平坦屋根面
２０  現場軸組部
２５  ペントハウス屋根
【図１】
2004238922.tif 000003
【図２】
2004238922.tif 000004
【図３】
2004238922.tif 000005